(57)【要約】本発明は、冷蔵庫ユニットおよび／または冷凍庫ユニットの庫内において伸縮式レールシステムを保持するための支持板と、前記庫内の側方部分においてそれぞれ対向するように前記支持板に設けられた２つの伸縮式レールとを備えた、特に冷蔵庫ユニットおよび／または冷凍庫ユニットに用いる伸縮式レールシステムに関する。
2008519236.tif 000002
【特許請求の範囲】
【請求項１】
特に冷蔵庫ユニットおよび／または冷凍庫ユニット用の伸縮式レールシステムであって、
前記冷蔵庫ユニットおよび／または冷凍ユニットの庫内に前記伸縮式レールシステムを保持するための支持板（３，３０）と、
前記支持板（３，３０）の両側部に設けられた２つの伸縮式レール（４，４０）とを備えた伸縮式レールシステム。
【請求項２】
請求項１に記載の伸縮式レールシステムにおいて、
前記伸縮式レール（４，４０）は、前記支持板（３，３０）の表面に配置されている伸縮式レールシステム。
【請求項３】
請求項１または２のいずれかに記載の伸縮式レールシステムにおいて、
前記伸縮式レール（４，４０）は、前記支持板（３，３０）に着脱可能に配置されている伸縮式レールシステム。
【請求項４】
請求項１〜３のいずれか１つに記載の伸縮式レールシステムにおいて、
前記伸縮式レール（４，４０）は、好ましくは引き出し方向における後方の端部である第１の端部に、前記冷蔵庫ユニットおよび／または冷凍庫ユニット内で、前記支持板（３，３０）の好ましくは前記伸縮式レール（４，４０）の引き出し方向（ｄ，ｇ）における後方の端縁部である第１の端縁部に押し付けられて前記支持板（３，３０）に係合するフック状部材（２３，３３）を有している伸縮式レールシステム。
【請求項５】
請求項４に記載の伸縮式レールシステムにおいて、
前記支持板（３，３０）の前記第１の端縁部に載置され、組み立て時には前記支持板（３，３０）と前記伸縮式レール（４，４０）のそれぞれの前記フック状部材（２３，３３）との間に配置される、少なくとも１つの保持レール（５，３５）を備えている伸縮式レールシステム。
【請求項６】
請求項５に記載の伸縮式レールシステムにおいて、
前記支持板（３，３０）の前記第１の端縁部のほぼ全長にわたって延び、組み立て時には第１の端部が前記支持板（３，３０）と前記第１の伸縮式レール（４）との間に配置され、第２の端部が前記支持板（３，３０）と前記第２の伸縮式レールとの間に配置される、細長形の保持レール（５）を備えている伸縮式レールシステム。
【請求項７】
請求項６に記載の伸縮式レールシステムにおいて、
前記保持レール（５）は、その両端部に、支持板（３）の両側端部に接触して前記保持レールが横方向に滑らないように固定する取り付け部（１７）を備えている伸縮式レールシステム。
【請求項８】
請求項５に記載の伸縮式レールシステムにおいて、
前記支持板（３０）の前記第１の端縁部の対向する端部にそれぞれ配置される２つの保持レール（３５）を備えている伸縮式レールシステム。
【請求項９】
請求項８に記載の伸縮式レールシステムにおいて、
前記保持レール（３５）はそれぞれ、組み立て時には前記支持板（３，３０）の対応する側端部に接触する取り付け部を備えている伸縮式レールシステム。
【請求項１０】
請求項４に記載の伸縮式レールシステムにおいて、
前記支持板は、プラスチックで完全に成形されており、
前記支持板の前記第１の端縁部におけるインサート成形体は、伸縮式レールシステムを組み立てた状態において、前記支持板と前記伸縮式レールのそれぞれの前記フック状部材（２３，３３）との間に配置される保持レールを形成する伸縮式レールシステム。
【請求項１１】
請求項５〜１０のいずれか１つに記載の伸縮式レールシステムにおいて、
前記少なくとも１つの保持レール（５，３５）は、前記支持板（３，３０）から見て外方に向いており、伸縮式レール（４，４０）が押し込まれた時にこれを受け止めて前記伸縮式レールの前記第１の端部を横方向に滑らないように固定する凹部（１５）を備えている伸縮式レールシステム。
【請求項１２】
請求項１〜１１のいずれか１つに記載の伸縮式レールシステムにおいて、
支持板（３，３０）に固定されて前記伸縮式レール（４，４０）を保持する保持部材（１９，３９）を備えている伸縮式レールシステム。
【請求項１３】
直接的または間接的に請求項４に従属する、請求項１２に記載の伸縮式レールシステムにおいて、
前記支持板（３，３０）の前記第１の端縁部と平行な第２の端縁部の近傍において、前記支持板の対向する辺にそれぞれ固定される２つの保持部材（１９，３９）を備えている伸縮式レールシステム。
【請求項１４】
請求項１２または１３のいずれかに記載の伸縮式レールシステムにおいて、
前記支持板は、前記保持部材（１９，３９）を固定するための開口部（２５）を備え、前記保持部材（１９，３９）は、前記支持板の前記開口部に対応し、前記支持板の前記開口部（２５）に挿入されるラッチノーズ（２７）を備えている伸縮式レールシステム。
【請求項１５】
請求項１２〜１４のいずれか１つに記載の伸縮式レールシステムにおいて、
前記保持部材（１９）は、前記支持板（３）の側端部に接触して前記保持部材（１９）のそれぞれを横方向に滑らないように固定する取り付け部（２０）を備えている伸縮式レールシステム。
【請求項１６】
請求項１〜１１のいずれか１つに記載の伸縮式レールシステムにおいて、
前記支持板は、プラスチックで完全に成形されており、インサート成形体は、伸縮式レールを固定する保持部材を含む伸縮式レールシステム。
【請求項１７】
直接的または間接的に請求項４に従属する、請求項１６に記載の伸縮式レールシステムにおいて、
前記インサート成形体は、前記支持板の前記第１の端縁部と平行な第２の端縁部の近傍において、前記支持板の対向する辺にそれぞれ配置される２つの固定部材を含む伸縮式レールシステム。
【請求項１８】
請求項１〜１７のいずれか１つに記載の伸縮式レールシステムにおいて、
ガラス製の支持板（３，３０）を備えている伸縮式レールシステム。
【請求項１９】
請求項１〜１７のいずれか１つに記載の伸縮式レールシステムにおいて、
好ましくは射出成形体であるプラスチック製支持板を備えている伸縮式レールシステム。
【請求項２０】
直接的または間接的に請求項４に従属する、請求項１９に記載の伸縮式レールシステムにおいて、
前記支持板の前記第１の端縁部は、前記伸縮式レール（４，４０）のそれぞれの前記フック状部材（２３，３３）が押し込まれる保持レールに相当する伸縮式レールシステム。
【請求項２１】
請求項２０に記載の伸縮式レールシステムにおいて、
保持レールとなる前記支持板の前記端縁部は、前記支持板から見て外方に向いており、伸縮式レール（４，４０）が押し込まれた時にこれを受け止めて前記伸縮式レールのそれぞれの前記第１の端部を横方向に滑らないように固定する凹部を備えている伸縮式レールシステム。
【請求項２２】
請求項１９〜２１のいずれか１つに記載の伸縮式レールシステムにおいて、
前記支持板は、前記伸縮式レールを保持するための一体成形された保持部材を備えている伸縮式レールシステム。
【請求項２３】
直接的または間接的に請求項４に従属する、請求項２２に記載の伸縮式レールシステムにおいて、
前記支持板の前記第１の端縁部と平行な第２の端縁部の近傍において、前記支持板の対向する辺にそれぞれ成形される２つの保持部材を備えている伸縮式レールシステム。
【請求項２４】
請求項１２〜１７、２２または２３のいずれか１つに記載の伸縮式レールシステムにおいて、
前記保持部材（１９）は、前記支持板（３）と平行になるように前記支持板（３）から間隔を空けて形成され、前記引き出し方向（ｄ）と垂直な方向に向いている突出部（２１）を備え、前記伸縮式レール（４，４０）はそれぞれ対応する開口部（２６）を備えている伸縮式レールシステム。
【請求項２５】
請求項１２〜１７、２２または２３のいずれか１つに記載の伸縮式レールシステムにおいて、
前記保持部材（３９）は、前記支持板（３０）と平行になるように前記支持板（３０）から間隔を空けて形成され、前記引き出し方向（ｇ）と平行な方向に向いている突出部（４１）を備え、前記伸縮式レール（４０）はそれぞれ対応する開口部（３４）を備えている伸縮式レールシステム。
【請求項２６】
請求項２４または２５のいずれかに記載の伸縮式レールシステムにおいて、
前記突出部（２１，４１）は、前記伸縮式レール（４，４０）の前記対応する開口部（２６，３４）に挿入されてスナップ止めされるように構成されている伸縮式レールシステム。
【請求項２７】
請求項１または２に記載の伸縮式レールシステムにおいて、
前記支持板は、プラスチックで成形されており、前記伸縮式レールの固定部分は、それぞれ前記プラスチック成形体に射出成形されて前記支持板に保持される伸縮式レールシステム。
【請求項２８】
請求項１または２のいずれかに記載の伸縮式レールシステムにおいて、
前記支持板は、前記伸縮式レールの固定部分とともに形成された射出成形体である伸縮式レールシステム。
【請求項２９】
請求項１〜２８のいずれか１つに記載の伸縮式レールシステムにおいて、
前記伸縮式レール（４，４０）は、前記支持板（３，３０）の上に配置されている伸縮式レールシステム。
【請求項３０】
請求項１〜２８のいずれか１つに記載の伸縮式レールシステムにおいて、
前記伸縮式レールは、前記支持板の下に配置されている伸縮式レールシステム。
【請求項３１】
請求項１〜３０のいずれか１つに記載の伸縮式レールシステムにおいて、
前記支持板（３，３０）は、冷蔵庫ユニットおよび／または冷凍庫ユニットの庫内の側方部分において、レール（９）に受け止められるように構成されている伸縮式レールシステム。
【請求項３２】
請求項１〜３１のいずれかに記載の伸縮式レールシステムにおいて、
前記伸縮式レールシステムは引出し（１３）を支持する伸縮式レールシステム。
【請求項３３】
請求項１〜３１のいずれかに記載の装置を備えた冷蔵庫ユニットおよび／または冷凍庫ユニット。
【発明の詳細な説明】
【技術分野】
【０００１】
本発明は、特に冷蔵庫ユニットおよび／または冷凍庫ユニット用の伸縮式レールシステムに関するものである。
【背景技術】
【０００２】
冷蔵庫ユニットおよび／または冷凍庫ユニットにおいて、引出しは例えばアルミニウム蒸発器またはガラス板等の上に公知の解決手段によって案内されている。引出しは、冷蔵庫ユニットおよび／または冷凍庫ユニットの庫室および引出し自体を介して取り付けられる。
【発明の開示】
【発明が解決しようとする課題】
【０００３】
このように平板に取り付けるタイプの引出しは、引出しを押し入れたり引き出したりする際に簡単に傾いてしまい、引出し本体に磨耗が生じてしまう。
【０００４】
本発明の課題は、自由度が非常に高く、簡単かつ確実に取り扱うことができる伸縮式レールシステムを提供することである。
【課題を解決するための手段】
【０００５】
この課題は、請求項１の特徴を有する伸縮式レールシステムと、請求項３３の特徴を有する冷蔵庫ユニットおよび／または冷凍庫ユニットとを用いることによって解決される。従属項の主題は、その他の利点によって構成されている。
【０００６】
本発明の伸縮式レールシステムは、冷蔵庫ユニットおよび／または冷凍庫ユニットの庫内で固定するための支持板を備えている。伸縮式レールは、支持板の両側部に互いに向かい合うように設けられている。押し入れた状態では、これらのレールは例えば支持板の一辺とほぼ同等の長さを有する。引き出し可能な引出しまたは平板は、この伸縮式レールに戴置することができる。したがって、これらを平板上で摺動させる必要がなくなる。本システムは、従来の冷蔵庫ユニットおよび／または冷凍庫ユニット内部の庫室を改良する必要がないため、簡単に使用することができる。伸縮式レールは、通常の棚板と同じようにユニット内部に挿入することができる支持板そのものに設けられる。この点において、例えば引出し等の引き出される構成要素を、支持板の上部または下部のいずれにも容易に配置することができる。配置を変更するには、支持板を反転させるだけでよく、これによって伸縮式レールが支持板上部ではなく、下部に配置される。
【０００７】
本発明の伸縮式レールシステムは、簡単な方法で使用することができる。支持板は、例えば冷蔵庫ユニットおよび／または冷凍庫ユニットの設置箇所に、伸縮式レールをあらかじめ組み付けた状態で提供することができる。
【０００８】
支持板に伸縮式レールを直接配置することにより、引き出し動作を確実に行うことができる。一般的に、冷蔵庫および／または冷凍庫本体の熱歪により、内部空間は膨張する。従来の伸縮式レールはその一部がユニットの内側壁に確実に固定され、別の一部が引出し部に接続されているため、この熱歪によって傾いてしまう。しかしながら、本発明の解決方法によれば、伸縮式レールの全体が支持板自体に支持されており、支持板だけが例えばユニット内のレールに保持されているので、歪は生じない。したがって、冷蔵庫ユニットおよび／または冷凍庫ユニットの内部空間の熱膨張によって、伸縮式レールに傾斜の原因となる歪が生じることはない。
【０００９】
伸縮式レールを支持板表面に設けた本発明の伸縮式レールシステムを用いれば、支持板を反転させるだけで通常の棚板として使用することができるというさらなる利点を得ることができる。
【００１０】
伸縮式レールは、支持板の端縁部に固定されていてもよい。伸縮式レールを支持板表面に配置することは特に有利であり、支持板を冷蔵庫ユニットおよび／または冷凍庫ユニットにスムーズに押し入れることができる。
【００１１】
ある側面において、伸縮式レールは着脱可能に支持板に固定されている。このようにすると、支持板を従来のように棚板としても使用することができる。
【００１２】
伸縮式レールは、様々な方法によって支持板に固定することが可能である。好ましい実施形態では、伸縮式レールは、好ましくは引き出し方向における後方の第１の端部に、支持板の好ましくは後方端縁部である第１の端縁部に押し付けられて支持板に係合するフック状部材を備える。フック状部材は、一方では伸縮式レールを支持板から外れないように固定し、また他方では伸縮式レールを引き出し方向に滑らないように固定する。したがって、伸縮式レールに固定された引出しを引き出す際に、伸縮式レールが一緒に摺動する虞がない。
【００１３】
以下の記載では、支持板の第１の端縁部が、冷蔵庫ユニットおよび／または冷凍庫ユニット内における支持板の後方端縁部に相当する簡単な実施形態について説明している。さらに、伸縮式レールの第１の端部が、引き出し方向における伸縮式レールの後方端部に相当する実施形態についても説明している。それだけでなく、支持板の第１の端縁部が例えば前方端縁部に相当し、伸縮性レールの第１の端部が例えば引き出し方向における伸縮式レールの前方端部に相当する実施形態もまた同様に、本発明の範囲に含まれるものとする。
【００１４】
支持板の後方端縁部において、フック状部材と支持板との間に保持レールが設けられている。保持レールは、例えばプラスチックやその他の材料からなり、伸縮式レールまたはフック状部材が支持板に直接接触するのを防止する。これは、支持板がガラス製で破損しやすい場合に特に有利である。
【００１５】
このような保持レールは、例えば支持板の後方端縁部の全長にわたって延び、第１伸縮式レールのフック状部材と支持板との間、ならびに第２伸縮式レールのフック状部材と支持板との間に配置される。このような一体型の保持部材は、簡単に装着することができ、なおかつ頑丈である。保持レールは、支持板の後方端縁部に押し付けるだけでよい。
【００１６】
保持レールは、その両端部において、支持板の側端部に接触する取り付け部を有する。こうすることにより、保持レールは、横方向に滑らないように固定される。
【００１７】
その他の実施形態において、支持板の後方端縁部の互いに向かい合う端部にそれぞれ押し付けられる２つの保持レールを設けてもよい。このような実施形態では、物質的に努力をする必要があまりない。支持板の後方端縁部の両端部に押し付けられた２つの保持レールを備えたシステムでは、保持レールを、支持板の側端部に設けた取り付け部によって、滑らないように固定してもよい。
【００１８】
その他の実施形態では、支持板はプラスチックで完全に成形されており、このインサート成形体は、支持板の第１の端縁部において、保持レールを形成する。保持レールは、支持板と各伸縮式レールのフック状部材との間に配置される。この実施形態によれば、保持レールを支持板に確実に保持することができる。
【００１９】
保持レールは、支持板から見て外方に向いている凹部を備えていてもよい。こうすることにより、伸縮式レールは、保持レールに押し込まれた時にこの凹部に位置することになり、伸縮式レールの後方端部が横方向に滑ることを防止できる。
【００２０】
保持部材は、伸縮式レールを固定するための支持板上において、支持板に固定され、伸縮式レールを支持板に保持する。特に伸縮式レールがその後方端部に支持板と係合するためのフック状部材を有する場合には、保持部材は、支持板の前方部分に設けられていてもよい。こうすることにより、伸縮式レールは、後方端部においてはフック状部材と支持板との係合によって保持され、前方端部においては保持部材によって保持されることになる。
【００２１】
簡単な実施形態では、保持部材は支持板に接着される。保持部材は、支持板の対応する開口部に挿入されるラッチノーズとして構成され、確実に固定される。このような保持部材は、ごく簡単に支持板にクリップ止めすることができる。保持部材は、例えば、支持板の側端部に接触して、保持部材を横方向に滑らないように固定する取り付け部を有していてもよい。
【００２２】
別の実施形態は、プラスチック体で完全に成形された状態の支持板を備えている。このインサート成形体には保持部材がすでに含まれている。したがって、支持板に個別の保持部材を追加する必要がない。
【００２３】
伸縮式レールは、対応する数の保持部材を用いて、支持板に固定されていてもよい。しかしながら、インサート成形体である支持板に一体化された保持部材を有する実施形態では、伸縮式レールが、フック状部材によって支持板の後方端縁部に引っ掛かるようになっていてもよく、保持部材のみを設けて伸縮式レールの前方端部を固定するようになっていてもよい。
【００２４】
支持板の材料として、例えば縦方向の膨張係数が極めて低いガラスが好適である。こうすることにより、伸縮式レールの傾斜の原因となりうる温度差が大きくても、歪は全く生じないか、またはわずかな歪しか生じなくなる。
【００２５】
例えばシートメタルからなる支持板に、ハンガー部および固定部を設け、同様に伸縮式レールを保持するようにしてもよい。
【００２６】
例えば、好ましくは射出成形体であるプラスチック製の支持板を用いる場合は、伸縮式レールの固定部材は、その成形体に直接成形することができる。この射出成形支持板においては、その後方端縁部が保持レールとして形成され、対応する伸縮式レールのフック状部材がそこに押し込まれる。射出成形支持板と一体化した保持レールはまた、支持板から見て外方に向いている凹部を有していてもよい。伸縮式レールが押し込まれた時はこの凹部がそれを受け止め、伸縮式レールの端部を横方向に滑らないように固定する。
【００２７】
さらに別の実施形態では、プラスチック製の支持板は、伸縮式レールを保持するための一体成形された保持部材を含むように構成されていてもよい。ここでは、支持板は、すべての保持部材とともに、一回の工程で射出成形体として製造される。フック状部材を有する伸縮式レールを備えた本発明の伸縮式レールシステムの一実施形態においては、伸縮式レールは、支持板の後方端縁部において押し付けられたフック状部材によって固定されているため、保持部材は支持板の前方部分にのみ形成されていればよい。
【００２８】
保持部材は、伸縮式レールと各保持部材とを接続するための突出部を有していてもよい。突出部は、支持板と平行になるように支持板から間隔を空けて形成され、伸縮式レールの引き出し方向と垂直な方向に向いている。また、伸縮式レールの対応する開口部にそれぞれラッチ止めされるようになっている。突出部および伸縮式レールの対応する開口部は、協同してスナップ結合するように構成されている。この実施形態では、特に伸縮式レールが、その後方端部を支持板に固定するためのフック状部材を備えている場合には、伸縮式レールのフック状部材を、まず支持板の後方から支持板に押し付ける。次いで、支持板の前方端部を横方向に移動させることにより、突出部が伸縮式レールの対応する開口部にラッチ止めされる。
【００２９】
別の実施形態では、保持部材は、支持板と平行であって、引き出し方向における後方に向いている突出部を備え、伸縮式レールは対応する開口部を備えている。この実施形態では、フック状部材を有する伸縮式レールを後方から支持板に押し付けると同時に、伸縮式レールの対応する開口部に突出部をラッチ止めする。
【００３０】
支持板がプラスチックを用いたインサート成形体であって、支持板に固定するための伸縮式レールの固定部分がともに射出成形されている本発明の実施形態においては、保持部材は不要である。また、支持板は、伸縮式レールの固定部分と一体化した射出成形体であってもよい。こうすることにより、伸縮式レールの固定部分と支持板とを一回の射出成形工程で製造することができる。
【００３１】
本発明の伸縮式レールシステムは、引出し部を移動させる場所が支持板の上側か下側かによって、支持板の上部または下部のいずれに配置されていてもよい。
【発明を実施するための最良の形態】
【００３２】
本発明の伸縮式レールシステムの実施形態を、図面を参照して詳細に説明する。
【００３３】
図１に、レール９が形成された側壁７を備える冷蔵庫／冷凍庫の内部領域の部分図を示す。参照番号１１は後壁を示す。支持板３は、一番下のレールに嵌め込まれており、そこに伸縮式レール４の下側部分２が固定されている。伸縮式レール４の上側部分１は、図１の左前方向に引き出すことが可能である。
【００３４】
保持レール５はプラスチック製で、ガラス製の支持板３の後方端縁部に押し付けられている。保持レール５については図３を参照してより詳細に説明する。
【００３５】
図２に、引出し１３を挿入した状態の同様のシステムを示す。引出し１３は、伸縮式レールの上側部分１に戴置され、冷蔵庫および／または冷凍庫からａの方向に引き出し可能となっている。引出しは、引き出された状態において、ｂの方向に取り外すことができる。
【００３６】
図３において、伸縮式レール４の固定機構を詳細に説明する。プラスチックレール５は、ガラス板３の後方端縁部に配置され、伸縮式レールの領域に凹部１５を有する。プラスチックレール５は、ガラス板３の側端部に対し、取付け部１７によって支持されている。ガラス板３の前方領域には、ラッチノーズとして構成された突起部２１を有する保持部材１９が設けられている。突起部２１は、引き出し方向に対し横方向に保持部材１９から見て外方に向いており、ガラス板から間隔を空けるように構成されている。この間隔は、伸縮式レール４の下側部分２の厚みとほぼ一致する。
【００３７】
図４は、固定部材に伸縮式レール４を取り付ける工程を説明する図である。まず、ｃの方向に沿って、伸縮式レールをガラス板３の上に降ろす。プラスチックレール５の凹部１５内にあって、伸縮式レール４の下側部分２から下向きに設けられたフック状部材２３を、伸縮式レールをｄの方向に移動させることによって支持板３に押し付ける。次いで、伸縮式レールの前方端部をｅの方向に移動させることにより、開口部２６が、ラッチノーズとして形成された突出部２１の位置にくる。開口部２６は、図４では確認できないが、伸縮式レール４の下側部分２の下部表面および側面の両方にわたって形成されている。このように、伸縮式レールは、ガラス板に確実に固定される。
【００３８】
図５に、各固定部材がどのようにガラス板３に作用するかを明確に示す。図５の左側の詳細図には、フック２３が保持レール５およびガラス板３を囲んでいる様子が描かれている。図５の右側の詳細図では、ラッチノーズ２７が保持部材１９の下面に設けられ、ガラス板３の開口部２５に押し込まれてスナップ止めされているのが確認できる。取付け部２０は、保持部材１９の側面に形成され、支持板３の側端部に支持されている。
【００３９】
図６は、伸縮式レールの上に引出し１３を載置した状態の支持板３を下から見た図である。
【００４０】
図１〜図６の実施形態は、以下のようにして組み立てられる。まず、保持レール５をガラス板３の後方端縁部に配置する。次に、保持部材１９をガラス板の前方でラッチ止めする。伸縮式レール４を、図４のｃの方向に沿ってガラス板３の上に置いた後、ｄの方向に移動させて、保持レール５の凹部１５内においてフック状部材２３を支持板３に係合させる。伸縮式レールをｅの方向に移動させることにより、伸縮式レール４の下側部分２の開口部２６を保持部材１９のラッチノーズ２１に合わせる。同様に、第２の伸縮式レールを、図示していないガラス板３の反対側の第２の部分に固定する。そして、引出し１３を両伸縮式レールの上に載置する。そして、ガラス板３とそれにラッチ止めされた伸縮式レールおよび引出しをひとつにして、冷蔵庫ユニットおよび／または冷凍庫ユニットの内壁７のレール９内に押し入れ、任意のラッチ装置によってラッチ止めを行う。
【００４１】
引出し１３は、このように、伸縮式レールによって簡単に出し入れすることができる。また、引出し１３とガラス板３との直接的な接触が防止される。
【００４２】
メンテナンスが必要になった場合は、伸縮式レール４をガラス板３から簡単に取り外すことができる。このように、本発明のシステムは極めてフレキシブルである。
【００４３】
伸縮式レールは、例えば引き出し可能な棚板等の、その他の押し込まれる構成要素に使用することも可能である。支持板３を反転させることにより、伸縮式レール４は支持板３の上ではなく、下に配置されることになる。これに対応して引出しを構成すれば、引出しを支持板の下に配置することができる。
【００４４】
図７にさらに別の実施形態を示す。ここでは、ガラス板３０に２つの保持レール３５を設けているが、図７の部分図には、そのうち１つの保持レール３５だけをガラス板３０の端部に示している。保持部材３９は、ガラス板３０の前方部分に設けられた対応する開口部に押し込まれている。保持部材３９は、実施形態１のラッチノーズ２７と同様に、下向きのラッチノーズであってもよい。そうすることにより、保持部材３９はガラス板に押し込まれてスナップ止めされる。
【００４５】
ガラス板３０に伸縮式レール４０を取り付ける工程および各固定部材の相互作用について、図８に説明する。保持部材３９は、ガラス板との間に間隔を空けて後方に向いており、伸縮式レール４０の下側部分３２の開口部３４に対応する突出部４１を有する。伸縮式レール４０の下側部分３２は、実施形態１のフック状部材２３と同様に、その後方部分に下向きのフック状部材３３を有する。
【００４６】
伸縮式レールは、まず、ｆの方向に沿って、開口部３４が固定部材３９の上にくるようにガラス板３０に降ろされる。そして、ｄの方向に移動させることにより、フック３３が保持レール３５の凹部に引っ掛けられる。
【００４７】
ｇの方向に伸縮式レール４０を移動させると、突出部４０がさらに開口部３４に引っ掛けられる。このように、伸縮式レール４０は確実にガラス板３０に固定される。同様に、第２の伸縮式レールも、図８に図示していない方のガラス板３０の側部に固定される。実施形態１に記載したように、例えば引出しを伸縮式レール４０の上側部分３１に戴置してもよい。
【００４８】
上記実施形態では、保持部材および保持レールをそれぞれ個別に設けている。図示していないその他の実施形態では、保持レールおよび／または保持部材は、支持板であるプラスチックインサート成形体の一部として形成される。また、図示していないさらに別の実施形態では、支持板をプラスチックのみで射出成形する際に、保持レールおよび保持部材を支持板に一体化した構成要素として、一回の工程で射出成形している。同様に、伸縮式レールの支持板に固定される部分を、支持板上に同時に成形することも可能である。
【図面の簡単な説明】
【００４９】
【図１】図１は、本発明の伸縮式レールシステムを備えた冷蔵庫の内部を示す部分図である。
【図２】図２は、本発明の伸縮式レールシステムに戴置された引出しを備えた冷蔵庫の内部を示す部分図である。
【図３】図３は、支持板の部分図である。
【図４】図４は、組み付け中の本発明の伸縮式レールシステムを示す図である。
【図５】図５は、２つの詳細図を含む、本発明の伸縮式レールシステムを下から見た図である。
【図６】図６は、引出しが戴置された発明の伸縮式レールシステムを下から見た図である。
【図７】図７は、本発明の別の実施形態による支持板を示す図である。
【図８】図８は、組み付け中の本実施形態の伸縮式レールシステムを示す図である。
【図１】
2008519236.tif 000003
【図２】
2008519236.tif 000004
【図３】
2008519236.tif 000005
【図４】
2008519236.tif 000006
【図５】
2008519236.tif 000007
【図６】
2008519236.tif 000008
【図７】
2008519236.tif 000009
【図８】
2008519236.tif 000010
【国際調査報告】
2008519236.tif 000011
2008519236.tif 000012
2008519236.tif 000013
2008519236.tif 000014